(57)【要約】【課題】検査装置側の入力用検査端子と検出用検査端子とを同期させてＷＨ両端の各コネクタ端子に渡り切換接続する必要の無いＷＨの検査方法を提供する。【解決手段】ＷＨ終端の各コネクタ端子１３，１５に同時に検出用検査端子９，１１を容量結合した状態で、ＷＨ始端のコネクタ端子１７，１９に順に検査端子７を容量結合して順にコネクタ端子１７，１９に検査電流Ｉ０を入力し、該検査電流Ｉ０の入力に応答してＷＨ終端のコネクタ端子１３，１５から出力されて検出用検査端子９，１１で検出される応答電流の電流値を電流検出用抵抗ｒ１，ｒ２で測定し、該電流検出用抵抗ｒ１，ｒ２の測定結果に基づき、検査電流Ｉ０の入力されたＷＨの始端側のコネクタ端子３（５）に対応する終端側のコネクタ端子５（３）に容量結合した検出用検査端子９（１１）で検出された応答電流が検査電流Ｉ１か否かに応じてＷＨの構成電線の誤配線の有無を検査する。【選択図】　　　　図１
2004138437.tif 000002
【特許請求の範囲】
【請求項１】
複数の構成電線と該構成電線の両端に配設されたコネクタとを備えたワイヤーハーネスに対し、前記各構成電線が前記コネクタに所定の対応関係を持たせて接続されているかを検査するための検査方法であって、
前記ワイヤーハーネスの終端の前記コネクタの各コネクタ端子に対して同時に、それぞれ個別の電流検出用素子を介して所定の電位源に接続された個別の検出用検査端子を近接させて容量結合させた状態で、前記ワイヤーハーネスの始端の前記コネクタの各コネクタ端子に対して１つずつ順に、交流電源の一方電極に接続された入力用検査端子を接近させて容量結合させて順に当該各コネクタ端子に前記交流電源からの検査電流を入力し、この検査電流の入力に応答してワイヤーハーネス終端側の前記各コネクタ端子から出力されて前記各検出用検査端子により検出される各応答電流の電流値を前記各電流検出用素子により測定し、これら各電流検出用素子により測定された電流値の大きさに基づき、前記検査電流の入力された前記ワイヤーハーネスの始端側の前記コネクタ端子に対応する終端側の前記コネクタ端子に容量結合された前記検出用検査端子により検出された前記応答電流が前記検査電流なのか漏話検査電流なのかを選別して、前記検査電流なのか／前記漏話検査電流なのかに応じて前記ワイヤーハーネスの前記構成電線の誤配線の無／有を検査することを特徴とするワイヤーハーネスの検査方法。
【請求項２】
前記各電流検出用素子は、前記各構成電線の配線抵抗との間で、（各電流検出用素子の抵抗値）≫（各構成電線の配線抵抗の抵抗値）の関係を満たす様に設定されることを特徴とする請求項１に記載のワイヤーハーネスの検査方法。
【請求項３】
前記ワイヤーハーネスの終端側の前記各コネクタ端子と前記検出用検査端子との容量結合部分に形成される各静電容量を、前記各構成電線間に形成される各浮遊容量よりも大きく設定することを特徴とする請求項２に記載のワイヤーハーネスの検査方法。
【請求項４】
前記ワイヤーハーネスの終端側の前記各コネクタ端子と前記各検出用検査端子との容量結合部分間に誘電物質を介装させることで、前記静電容量を大きく設定することを特徴とする請求項３に記載のワイヤーハーネスの検査方法。
【請求項５】
前記ワイヤーハーネスの始端側の前記各コネクタ端子に対して１つずつ順に、前記交流電源の一方電極に接続された前記入力用検査端子を接近させて容量結合させて順に当該各コネクタ端子に前記交流電源からの前記検査電流を入力すると同時に、前記ワイヤーハーネスの始端側の前記各コネクタ端子のうち、前記検査電流の入力されない残りの前記各コネクタ端子に対して同時に、前記交流電源の他方電極に接続された個別の帰還用検査端子を接近させて容量結合させて、前記検査電流の入力に応答して当該残りの各コネクタ端子から出力される漏話検査電流の一部を前記交流電源の前記他方電極に帰還させることを特徴とする請求項２乃至請求項４の何れかに記載のワイヤーハーネスの検査方法。
【発明の詳細な説明】
【０００１】
【発明の属する技術分野】
本発明は、ワイヤーハーネスの検査方法に関する。
【０００２】
【従来の技術】
自動車の内部配線には多くのワイヤーハーネス（以後ＷＨと略す）が使用されている。ＷＨの誤配線は自動車の誤動作を招くので、通常、ＷＨの完成時には、ＷＨの検査として、ＷＨの各構成電線がそのＷＨの両端のコネクタの各コネクタ端子に設計通りの対応関係で接続されているかの検査が行われる。
【０００３】
このＷＨの検査は、通常、ＷＨの始端（終端）のコネクタのコネクタ端子に検査装置からの入力用（検出用）の検査端子を接続し、それら検査端子を介して、検査装置からＷＨの始端側のコネクタ端子に検査電流を入力し、ＷＨの終端側の対応するコネクタ端子から前記検査電流が検出されるか否かにより行われ、検出されるか／否かに応じてＷＨの構成電線の誤配線の無／有が判定される。
【０００４】
従来のＷＨの検査では、ＷＨ側のコネクタ端子と検査装置側の検査端子との接続は、双方の端子を機械的に嵌合させることで行われていた。しかし、その様な機械的な嵌合による接続では、ＷＨ側のコネクタ端子が検査装置側の検査端子により損壊される欠点があった。
【０００５】
この欠点を解決する技術として、ＷＨ側のコネクタ端子と検査装置側の検査端子とを機械的に嵌合させずに非接触な状態で接続してＷＨの検査を行う技術が開示されている（特許文献１）。
【０００６】
【特許文献１】特開平７−２８０８６４号公報
【０００７】
【発明が解決しようとする課題】
しかしながら、特許文献１の技術では、ＷＨ側のコネクタ端子に対して検査装置側の検査端子を若干の隙間をあけて（非接触の状態で）配置し、その検査端子にパルス電圧（検査電流）を印加することでＷＨ側のコネクタ端子と検査装置側の検査端子との隙間を放電させるため、機械的な嵌合によるコネクタ端子の損壊は解消されるが、パルス電圧の放電によりコネクタ端子が損壊されることがあるという欠点がある。
【０００８】
又、特許文献１の技術では、検査装置側の印加（入力）用検査端子と検出用検査端子とを同期させてＷＨの両端の各コネクタ端子に渡って切換接続する必要があるため、その同期が取れなくなると検査不能に陥る欠点がある。
【０００９】
そこで、この発明の課題は、ＷＨ側のコネクタ端子の損壊を防止できると共に、検査装置側の入力用検査端子と検出用検査端子とを同期させてＷＨの両端の各コネクタ端子に渡って切換接続する必要の無いＷＨの検査方法を提供することにある。
【００１０】
【課題を解決するための手段】
上記課題を解決するためには、請求項１に記載の発明は、複数の構成電線と該構成電線の両端に配設されたコネクタとを備えたワイヤーハーネスに対し、前記各構成電線が前記コネクタに所定の対応関係を持たせて接続されているかを検査するための検査方法であって、前記ワイヤーハーネスの終端の前記コネクタの各コネクタ端子に対して同時に、それぞれ個別の電流検出用素子を介して所定の電位源に接続された個別の検出用検査端子を近接させて容量結合させた状態で、前記ワイヤーハーネスの始端の前記コネクタの各コネクタ端子に対して１つずつ順に、交流電源の一方電極に接続された入力用検査端子を接近させて容量結合させて順に当該各コネクタ端子に前記交流電源からの検査電流を入力し、この検査電流の入力に応答してワイヤーハーネス終端側の前記各コネクタ端子から出力されて前記各検出用検査端子により検出される各応答電流の電流値を前記各電流検出用素子により測定し、これら各電流検出用素子により測定された電流値の大きさに基づき、前記検査電流の入力された前記ワイヤーハーネスの始端側の前記コネクタ端子に対応する終端側の前記コネクタ端子に容量結合された前記検出用検査端子により検出された前記応答電流が前記検査電流なのか漏話検査電流なのかを選別して、前記検査電流なのか／前記漏話検査電流なのかに応じて前記ワイヤーハーネスの前記構成電線の誤配線の無／有を検査するものである。
【００１１】
請求項２に記載の発明は、前記各電流検出用素子は、前記各構成電線の配線抵抗との間で、（各電流検出用素子の抵抗値）≫（各構成電線の配線抵抗の抵抗値）の関係を満たす様に設定されるものである。
【００１２】
請求項３に記載の発明は、前記ワイヤーハーネスの終端側の前記各コネクタ端子と前記検出用検査端子との容量結合部分に形成される各静電容量を、前記各構成電線間に形成される各浮遊容量よりも大きく設定するものである。
【００１３】
請求項４に記載の発明は、前記ワイヤーハーネスの終端側の前記各コネクタ端子と前記各検出用検査端子との容量結合部分間に高誘電率物質を介装させることで、前記静電容量を大きく設定するものである。
【００１４】
請求項５に記載の発明は、前記ワイヤーハーネスの始端側の前記各コネクタ端子に対して１つずつ順に、前記交流電源の一方電極に接続された前記入力用検査端子を接近させて容量結合させて順に当該各コネクタ端子に前記交流電源からの前記検査電流を入力すると同時に、前記ワイヤーハーネスの始端側の前記各コネクタ端子のうち、前記検査電流の入力されない残りの前記各コネクタ端子に対して同時に、前記交流電源の他方電極に接続された個別の帰還用検査端子を接近させて容量結合させて、前記検査電流の入力に応答して当該残りの各コネクタ端子から出力される漏話検査電流の一部を前記交流電源の前記他方電極に帰還させるものである。
【００１５】
【発明の実施の形態】
＜実施の形態＞
図１は、本発明の実施の形態に係るワイヤーハーネスの検査方法を実施するための検出装置の概略構成の等価回路図である。
【００１６】
この実施の形態に係る検出装置１は、図１に示す如く、ワイヤーハーネス（以後ＷＨと略す）の構成電線３，５の誤配線の有無を検査する装置であり、交流電源Ｅと、電流検出用抵抗（電流検出用素子）ｒ１，ｒ２と、入力用検査端子７及び検出用検査端子９，１１とを備える。尚、交流電源Ｅの他方電極は接地しても良い。
【００１７】
検査対象となるＷＨは、複数の構成電線３，５と該構成電線３，５の両端に配設されたコネクタ（図示省略）とを備える。ＷＨの終端（始端）の前記コネクタは、ハウジング（図示省略）内に各コネクタ端子１３，１５（１７，１９）が収容配設されて構成される。尚、抵抗Ｒ１，Ｒ２は、構成電線３，５の配線抵抗を象徴的に示したものであり、容量ＣＳは、各構成電線３，５間にカップリングにより形成された浮遊容量を象徴的に示したものである。
【００１８】
入力用検査端子７は、その基端側が交流電源Ｅの一方電極に接続されており、検査時には、その先端側がＷＨの始端側の各コネクタ端子１７，１９に１つずつ順に近接されて容量結合されて、交流電源Ｅからの検査電流Ｉ０を当該各コネクタ端子１７，１９に順に入力する。尚、容量Ｃ０は、入力用検査端子７とＷＨの始端側のコネクタ端子１７，１９との容量結合部分に形成される静電容量を象徴的に示したものである。又、電流Ｉ１は、検査電流Ｉ０の入力された構成電線３，５に流れる検査電流であり、電流Ｉ２（＝Ｉ０−Ｉ１）は、検査電流Ｉ１の流れる構成電線３（５）から漏話して隣りの構成電線５（３）に流れ出した漏話検査電流である。
【００１９】
検出用検査端子９，１１は、ＷＨの終端側の各コネクタ端子１３，１５と同数準備される。これら検出用検査端子９，１１は、それらの基端側が個別の電流検出用抵抗ｒ１，ｒ２を介して交流電源Ｅの他方電極（又は接地点：所定の電位源）に接続されており、検査時には、それらの先端側がＷＨの終端側の各コネクタ端子１３，１５に近接されて並列に容量結合されて、当該各コネクタ端子１３，１５から出力される電流Ｉ１，Ｉ２を検出する。尚、容量Ｃ１（Ｃ２）は、検出用検査端子９（１１）とコネクタ端子１３（１５）との容量結合部分に形成される静電容量を象徴的に示したものである。
【００２０】
これら各静電容量Ｃ１，Ｃ２は、浮遊容量ＣＳよりも大きな値に設定される。これにより、後述の様に、比Ｉ１／Ｉ２が大きくされて検査電流Ｉ１と漏話検査電流Ｉ２との選別精度が向上される。ここでは例えば、端子９と１３，端子１１と１５の容量結合部分間に高誘電率物質（空気より大きな誘電率を持つ誘電物質）が介装されることで、静電容量Ｃ１，Ｃ２が浮遊容量ＣＳよりも大きな値に設定される。それら高誘電率物質は、例えば検出用検査端子９，１１側に取り付られる。尚、各静電容量Ｃ１，Ｃ２は互いに等しい値に設定されており後述の式１〜式３ではＣ１＝Ｃ２＝Ｃと表記される。
【００２１】
各電流検出用抵抗ｒ１，ｒ２は、各検出用検査端子９，１１により検出された電流Ｉ１，Ｉ２の測定に用いられる。尚、各電流検出用抵抗ｒ１，ｒ２は互いに等しい値に設定されており後述の式１〜式３ではｒ１＝ｒ２＝ｒと表記される。又、これら各電流検出用抵抗ｒ１，ｒ２の抵抗値は、ＷＨの各構成電線３，５の配線抵抗Ｒ１，Ｒ２の抵抗値との間で、（各電流検出用抵抗ｒ１，ｒ２の抵抗値）≫（各構成電線３，５の配線抵抗Ｒ１，Ｒ２の抵抗値）の関係（即ちｒ≫Ｒ１，Ｒ２の関係）を満たす様に設定される。
【００２２】
次に、比Ｉ１／Ｉ２を求める。
【００２３】
【数１】
2004138437.tif 000003
【００２４】
【数２】
2004138437.tif 000004
【００２５】
【数３】
2004138437.tif 000005
【００２６】
式１は、閉回路（Ｅ→Ｃ０→Ｒ１→Ｃ１→ｒ１→Ｅ）から得られる電圧に関する式である。式２は、閉回路（Ｅ→Ｃ０→ＣＳ→Ｒ２→Ｃ２→ｒ２→Ｅ）から得られる電圧に関する式である。式３は、式１及び式２を比Ｉ１／Ｉ２について解き、上記の関係（ｒ≫Ｒ１，Ｒ２）による近似を適用して得られる比Ｉ１／Ｉ２の近似式である。
【００２７】
式３より、上記の関係（ｒ≫Ｒ１，Ｒ２）の下では、比Ｉ１／Ｉ２は、構成電線３，５の配線抵抗Ｒ１，Ｒ２に依らず、電流検出用抵抗ｒ（即ちｒ１，ｒ２）と浮遊容量ＣＳと静電容量Ｃ（即ちＣ１，Ｃ２）とにより一元的に表現された簡単な形の式に定式化される。尚、式１〜式３中のｊは虚数であり、ωは交流電源Ｅの角周波数である。
【００２８】
そして、式３より、検査電流Ｉ１は、静電容量Ｃ（即ちＣ１，Ｃ２）が大きい程漏話検査電流Ｉ２より益々大きくなり、静電容量Ｃが小さい程漏話検査電流Ｉ２に益々等しくなることが分かる。ここでは、上記の通り、静電容量Ｃ１，Ｃ２が浮遊容量ＣＳより大きく設定されており、検査電流Ｉ１が漏話検査電流Ｉ２より適当に大きく成る様に設定される。これにより、各検出用検査端子９，１１により検出された各電流Ｉ１，Ｉ２のうち、電流値の最大のものが検査電流Ｉ１と選別され、残りのものが漏話検査電流Ｉ２と選別される。
【００２９】
尚、通常のＷＨではＣＳ＝１×１０−１（Ｆ）程度であり、各端子９と１３，端子１１と１５の容量結合部分間が中空の場合ではＣ＝５×１０−１３（Ｆ）程度であるので、一般に中空の場合の静電容量Ｃは浮遊容量ＣＳよりかなり小さく、Ｉ１≒Ｉ２となり、選別精度（比Ｉ１／Ｉ２）が低くなる。そこで、ここでは、上記の通り、各端子９と１３，端子１１と１５の容量結合部分間に高誘電率物質を介装することで、静電容量Ｃ１，Ｃ２を浮遊容量ＣＳより大きく設定している。通常、検査電流Ｉ１及び漏話検査電流Ｉ２は微弱なので、それらを選別するためには、比Ｉ１／Ｉ２＝１．５〜２程度必要であり、その為にここでは、かかる高誘電率物質として例えば誘電率１００〜２００のものが用いられる。具体的には、かかる高誘電率物質として、酸化チタン（誘電率１００）、チタン酸カルシューム（誘電率１５０〜１６０）を用いた場合は比Ｉ１／Ｉ２＝１．５〜２程度にでき、チタン酸バリウム（誘電率５０００）を用いた場合は比Ｉ１／Ｉ２＝２５程度にできる。
【００３０】
次に、図１を参照し、この検出装置１を用いたＷＨの検査方法を説明する。
【００３１】
まず、ＷＨの終端側の各コネクタ端子１３（１５）に対して同時に各検出用検査端子９（１１）を容量結合させる。そして、例えばＷＨの始端側のコネクタ端子１７が終端側のコネクタ端子１３に設計通りの対応関係を持たされて構成電線により接続されているか否かを検査する場合は、ＷＨの始端側のコネクタ端子１７に対して入力用検査端子７を容量結合させて当該コネクタ端子１７に交流電源Ｅからの検査電流Ｉ０を入力する。
【００３２】
そして、その検査電流Ｉ０の入力に応答してＷＨの終端側の各コネクタ端子１３（１５）から出力されて各検出用検査端子９（１１）により検出される各応答電流の電流値を各電流検出用抵抗ｒ１（ｒ２）により測定する（例えば、各電流検出用抵抗ｒ１（ｒ２）の両端間に現れる電位差に基づいて測定する）。そして、各電流検出用抵抗ｒ１，ｒ２の測定結果に基づき、各検出用検査端子９，１１により検出された各応答電流が、それら検出用検査端子９，１１により検出された応答電流のうちで最大のものか／否かに応じて、検査電流Ｉ１であるのか／漏話検査電流Ｉ２であるのかを選別する。そして、その選別の結果、ＷＨの終端側のコネクタ端子１３に容量結合された検出用検査端子９により検出された応答電流が検査電流Ｉ１である場合は、ＷＨの始端側の当該コネクタ端子１７はＷＨの終端側のコネクタ端子１３に設計通りの対応関係をもたされて構成電線により接続されていると判定し、他方、漏話検査電流Ｉ２である場合（即ち検査電流Ｉ１でない場合）は、設計通りに接続されていない（即ち構成電線３，５が交差して誤配線されている）と判定する。
【００３３】
そして、入力用検査端子７をＷＨの始端側の次のコネクタ端子１９に容量結合し直して、上述と同様の手順で、ＷＨの始端側の次のコネクタ端子１９がそのコネクタ端子１９に対応するＷＨの終端側のコネクタ端子１１に設計通りに構成電線により接続されているか否かを検査する。そして、ＷＨの始端側の全てのコネクタ端子１７，１９が設計通りの対応関係で構成電線によりＷＨの終端側の各コネクタ端子９，１１に接続されていれば、ＷＨの構成電線３，５は誤配線なく設計通りに接続されていると判定する。
【００３４】
以上の様に、このＷＨの検査方法によれば、ＷＨの終端側の各コネクタ端子１３，１５に対して同時に個別の検出用検査端子９，１１を容量結合させた状態で、ＷＨの始端側の各コネクタ端子１７，１９に対して１つずつ順に入力用検査端子７を容量結合させて順に各コネクタ端子１７，１９に検査電流Ｉ０を入力し、この検査電流Ｉ０の入力に応答してＷＨの終端側の各コネクタ端子１３，１５から出力されて各検出用検査端子９，１１により検出される各応答電流の電流値を各電流検出用抵抗ｒ１，ｒ２により測定し、これら各電流検出用抵抗ｒ１，ｒ２で測定された電流値の大きさに基づき、検査電流Ｉ０の入力されたＷＨの始端側のコネクタ端子に対応する終端側のコネクタ端子に容量結合された検出用検査端子により検出された応答電流が検査電流なのか漏話検査電流なのかを選別し、検査電流なのか／漏話検査電流なのかに応じてＷＨの構成電線の誤配線の無／有を検査するため、従来の様に検査装置側の入力用検査端子と検出用検査端子とを同期させてＷＨの両端の各コネクタ端子に渡って切換接続することが無く、ＷＨの検査を行うことができる。
【００３５】
しかも、容量結合（即ち非接触）によりＷＨ側のコネクタ端子１３，１５，１７と検査端子７，９，１１とが接続されるため、従来の様に検査回路１側の検査端子７，９，１１によりＷＨ側のコネクタ端子１３，１５，１７が損壊されることも無く、又、パルス電圧の印加によりコネクタ端子１７，１９と入力用検査端子７との隙間が放電されないため、従来の様にパルス電圧の放電によりＷＨ側のコネクタ端子１７，１９が損壊されることも無い。
【００３６】
又、各電流検出用抵抗ｒ１，ｒ２は、（各電流検出用抵抗ｒ１，ｒ２の抵抗値）≫（各構成電線３，５の配線抵抗Ｒ１，Ｒ２の抵抗値）の関係を満たす様に設定されるため、各電流検出用抵抗ｒ１，ｒ２により検出される検査電流Ｉ１と漏話検査電流Ｉ２との比Ｉ１／Ｉ２を、各電流検出用抵抗ｒと、構成電線３，５間の浮遊容量ＣＳと、コネクタ端子１３，１５と検出用検査端子９，１１との容量結合部分の静電容量Ｃ１，Ｃ２とにより一元的に表現された簡単な形の式に定式化することに寄与でき、これにより必要な選別精度（比Ｉ１／Ｉ２）を容易に設計でき、検査装置１の開発期間の短縮や人件費削減によるコスト削減を図れる。
【００３７】
又、コネクタ端子１３（１５）と検出用検査端子９（１１）との容量結合部分の静電容量Ｃ１（Ｃ２）が構成電線３，５間の浮遊容量ＣＳよりも大きく設定されるため、比Ｉ１／Ｉ２を大きくでき、検査電流Ｉ１と漏話検査電流Ｉ２との選別精度を向上できる。
【００３８】
又、コネクタ端子１３（１５）と検出用検査端子９（１１）との容量結合部分間に高誘電率物質を介装させることで、それら端子９と１３（１１と１５）の容量結合部分の静電容量Ｃ１（Ｃ２）を大きく設定するため、簡単な手法で、それら端子９と１３（１１と１５）の容量結合部分の静電容量Ｃ１（Ｃ２）を構成電線３，５間の浮遊容量ＣＳよりも大きく設定できる。
【００３９】
尚、この実施の形態では、端子９と１３（１１と１５）の容量結合部分間に高誘電率物質を介装させることで各端子９と１３（１１と１５）の容量結合部分の静電容量Ｃ１（Ｃ２）を大きな値に設定したが、検出用検査端子９（１１）に於けるコネクタ端子１３（１５）との容量結合部分の面積を大きく形成することで、端子９と１３（１１と１５）の容量結合部分の静電容量Ｃ１（Ｃ２）を大きくする様にしても構わない。
【００４０】
尚、この実施の形態では、計算の便宜上ＷＨの構成電線が２本の場合で説明したが、ＷＨの構成電線が３本以上の場合も２本の場合と同様の計算により同様のＷＨの検査が行えることは言うまでもないことである。
【００４１】
＜変形例＞
この変形例に係る検出装置１Ｂは、図２に示す様に、上記実施の形態の検出装置１と比べて、更に漏話検査電流の帰還用検査端子２１を備える点が相違する以外は同様に構成される。以下、上記実施の形態の検出装置１と同一部分については同一符号を付して説明を省略し異なる部分だけ説明する。
【００４２】
これら帰還用検査端子２１は、ＷＨの始端のコネクタの各コネクタ端子１７，１９の数より１つ少ない数（図２では１つ）準備される。これら帰還用検査端子２１は、それらの基端側が交流電源Ｅの他方電極（入力用検査端子７が接続されていない方の電極）に接続されており、検査時には、それらの先端側が、ＷＨの始端側の各コネクタ端子１７，１９のうち、入力用検査端子７の容量結合されてない残りの各コネクタ端子に近接させて容量結合されて、入力用検査端子７によるＷＨの始端側の一のコネクタ端子への検査電流Ｉ０の入力に応答して、当該残りの各コネクタ端子から出力される漏話検査電流Ｉｓの一部を成す漏話検査電流Ｉ３を交流電源Ｅの他方電極に帰還させる。尚、容量Ｃ３は、コネクタ端子１９と帰還用検査端子２１との容量結合部分に形成される静電容量を象徴的に示したものである。又、要素ＩＳは、浮遊容量ＣＳを流れる漏話電流を象徴的に示したものである。
【００４３】
次に、この検出装置１Ｂでの比Ｉ１／Ｉ２を求める。
【００４４】
【数４】
2004138437.tif 000006
【００４５】
【数５】
2004138437.tif 000007
【００４６】
【数６】
2004138437.tif 000008
【００４７】
【数７】
2004138437.tif 000009
【００４８】
【数８】
2004138437.tif 000010
【００４９】
式４は、閉回路（Ｅ→Ｃ０→Ｒ１→Ｃ１→ｒ１→Ｅ）から得られる電圧に関する式である。式５は、閉回路（Ｅ→Ｃ０→ＣＳ→Ｒ２→Ｃ２→ｒ２→Ｅ）から得られる電圧に関する式である。式６は、閉回路（Ｅ→Ｃ０→ＣＳ→Ｃ３→Ｅ）から得られる電圧に関する式である。式７は、電流保存に関する式である。式８は、式４〜式７を比Ｉ１／Ｉ２について解き、上記の関係（ｒ≫Ｒ１，Ｒ２）による近似を適用して得られる比Ｉ１／Ｉ２の近似式である。
【００５０】
式８より、上記実施の形態の検出回路１の場合と同様に、上記の関係（ｒ≫Ｒ１，Ｒ２）の下では、比Ｉ１／Ｉ２は、構成電線３，５の配線抵抗Ｒ１，Ｒ２に依らず、電流検出用抵抗ｒ（即ちｒ１，ｒ２）と浮遊容量ＣＳと静電容量Ｃ（即ちＣ１，Ｃ２），Ｃ３とにより一元的に表現された簡単な形の式に定式化される。
【００５１】
そして、式８より、検査電流Ｉ１は、静電容量Ｃ（即ちＣ１，Ｃ２）とＣ３の合計値が大きい程漏話検査電流Ｉ２より益々大きくなり、静電容量ＣとＣ３の合計値がが小さい程漏話検査電流Ｉ２に益々等しくなることが分かる。尚、通常、検出用検査端子９，１１と帰還用検査端子２１は互いに同じ端子サイズであり、コネクタ端子１３，１５及び１９も互いに同じ端子サイズであるので、静電容量ＣとＣ３は等しく（Ｃ＝Ｃ３）、従って式８は式９となる。式９より、この検出装置１Ｂでの選別精度（比Ｉ１／Ｉ２）は、上記実施の形態の検出装置１での選別精度（比Ｉ１／Ｉ２：式３）よりも向上していることが分かる。
【００５２】
この検出装置１Ｂを用いたＷＨの検査方法は、上記実施の形態の検出装置１を用いたＷＨの検査方法と比べて、ＷＨの始端側の各コネクタ端子１７，１９に対して１つずつ順に、入力用検査端子７を容量結合させて順に各コネクタ端子１７，１９に検査電流Ｉ０を入力すると同時に、ＷＨの始端側の各コネクタ端子１７，１９のうち、入力用検査端子７により検査電流Ｉ０の入力されない残りの各コネクタ端子に同時に個別の帰還用検査端子２１を容量結合させて、その検査電流Ｉ０の入力に応答して当該残りの各コネクタ端子から出力される漏話検査電流Ｉｓの一部を成す漏話検査電流Ｉ３を交流電源Ｅの他方電極（入力用検査端子７が接続されていない方の電極）に帰還させる点が異なる以外は、同様の手順（即ち同様の検査原理）で行われる。従って、ここでの詳細な説明は省略する。
【００５３】
以上の様に、このＷＨの検査方法によれば、ＷＨの始端側の各コネクタ端子１７，１９に対して１つずつ順に入力用検査端子７を容量結合させて当該各コネクタ端子１７，１９に順に検査電流Ｉ０を入力すると同時に、ＷＨの始端側の各コネクタ端子１７，１９のうち、入力用検査端子７により検査電流Ｉ０の入力されない残りの各コネクタ端子に同時に個別の帰還用検査端子２１を容量結合させて、検査電流Ｉ０の入力に応答して当該残りの各コネクタ端子から出力される漏話検査電流Ｉｓの一部を成す漏話検査電流Ｉ３を交流電源Ｅの他方電極（入力用検査端子７が接続されていない方の電極）に帰還させるだけの簡単な手法で、検査電流Ｉ１と漏話検査電流Ｉ２との選別精度（比Ｉ１／Ｉ２）を向上できる。
【００５４】
【発明の効果】
請求項１に記載の発明によれば、ワイヤーハーネス（以後ＷＨと略す）の終端側の各コネクタ端子に対して同時に個別の検出用検査端子を容量結合させた状態で、ＷＨの始端側の各コネクタ端子に対して１つずつ順に入力用検査端子を容量結合させて順に当該各コネクタ端子に検査電流を入力し、この検査電流の入力に応答してＷＨの終端側の各コネクタ端子から出力されて前記各検出用検査端子に検出される各応答電流を前記各電流検出用素子により測定し、それら各電流検出用素子により測定された電流値の大きさに基づき、検査電流の入力されたワイヤーハーネスの始端側のコネクタ端子に対応する終端側のコネクタ端子に容量結合された検出用検査端子により検出された応答電流が検査電流なのか漏話検査電流なのかを選別し、検査電流なのか／漏話検査電流なのかに応じてワイヤーハーネスの構成電線の誤配線の無／有を検査するため、従来の様に検査装置側の入力用検査端子と検出用検査端子とを同期させてＷＨの両端の各コネクタ端子に渡って切換接続することが無く、ＷＨの検査を行うことができる。
【００５５】
しかも、容量結合（即ち非接触）によりＷＨ側のコネクタ端子と検査装置側の検査端子とが接続されるため、従来の様に検査装置側の検査端子によりＷＨ側のコネクタ端子が損壊されることも無く、又、パルス電圧の印加によりコネクタ端子と入力用検査端子との隙間が放電されないため、従来の様にパルス電圧の放電によりＷＨ側のコネクタ端子が損壊されることも無い。
【００５６】
請求項２に記載の発明によれば、各電流検出用素子が、（各電流検出用素子の抵抗値）≫（各構成電線の配線抵抗の抵抗値）の関係を満たす様に設定されるため、各電流検出用素子で測定される検査電流Ｉ１と漏話検査電流Ｉ２との比Ｉ１／Ｉ２を、各電流検出用素子と、構成電線間の浮遊容量と、コネクタ端子と検出用検査端子との容量結合部分の静電容量とにより一元的に表現された簡単な形の式に定式化することに寄与でき、これにより必要な選別精度（比Ｉ１／Ｉ２）を容易に設計でき、検査装置の開発期間の短縮や人件費削減によるコスト削減を図れる。
【００５７】
請求項３に記載の発明によれば、コネクタ端子と検出用検査端子との容量結合部分の静電容量が構成電線間の浮遊容量よりも大きく設定されるため、各電流検出用素子で測定される検査電流Ｉ１と漏話検査電流Ｉ２との比Ｉ１／Ｉ２を増大でき、検査電流Ｉ１と漏話検査電流Ｉ２との選別精度を向上できる。
【００５８】
請求項４に記載の発明によれば、コネクタ端子と検出用検査端子との容量結合部分間に誘電物質を介装させることで、それら端子の容量結合部分の静電容量を大きく設定するため、簡単な手法で、それら端子の容量結合部分の静電容量を構成電線間の浮遊容量よりも大きく設定できる。
【００５９】
請求項５に記載の発明によれば、ＷＨの始端側の各コネクタ端子に対して１つずつ順に交流電源の一方電極に接続された入力用検査端子を容量結合させて当該各コネクタ端子に順に交流電源からの検査電流を入力すると同時に、ＷＨの始端側の各コネクタ端子のうち、検査電流の入力されない残りの各コネクタ端子に対して同時に前記交流電源の他方電極に接続された個別の帰還用検査端子を容量結合させて、前記検査電流の入力に応答して当該残りの各コネクタ端子から出力される漏話検査電流の一部を交流電源の他方電極（入力用検査端子が接続されていない方の電極）に帰還させるだけの簡単な手法で、比Ｉ１／Ｉ２を増大できて、各電流検出用素子で測定される検査電流Ｉ１と漏話検査電流Ｉ２との選別精度を向上できる。
【図面の簡単な説明】
【図１】本発明の実施の形態に係るワイヤーハーネスの検査方法を実施するための検出装置の構成概略の等価回路図である。
【図２】本発明の実施の形態の変形例の検出装置の構成概略の等価回路図である。
【符号の説明】
１，１Ｂ　検出装置
３，５　ＷＨの構成電線
７　入力用検査端子
９，１１　検出用検査端子
１３，１５　ＷＨの終端側のコネクタ端子
１７，１９　ＷＨの始端側のコネクタ端子
２１　帰還用検査端子
Ｅ　交流電源
ｒ１，ｒ２　電流検出用抵抗
Ｒ１，Ｒ２　ＷＨの構成電線の配線抵抗
Ｃ０，Ｃ１，Ｃ２，Ｃ３　　検査端子とコネクタ端子との容量結合部分の静電容量
ＣＳ　　ＷＨの構成電線間の浮遊容量
ＷＨ　ワイヤーハーネス
Ｉ１，Ｉ１　検査電流
Ｉ２，Ｉ３　漏話検査電流
【図１】
2004138437.tif 000011
【図２】
2004138437.tif 000012